(57)【特許請求の範囲】
【請求項１】
玄関子機（１）の指紋照合部（１４）で照合された指紋がメモリー（１８）に登録された指紋と一致したとき電気錠（５）を解錠し、一致しなかったとき室内親機（３）を呼出して通話状態となる指紋照合ドアホン装置において、
前記メモリーを住人の指紋を登録する住人用メモリー（１９）と、知人の指紋を登録する知人用メモリー（２０）と、呼出拒否する人の指紋を登録する呼出拒否用メモリー（２１）にグループ分けし、前記玄関子機の前記指紋照合部で照合された指紋が、前記住人用メモリーに登録された指紋と一致したとき前記電気錠を解錠する解錠信号（ｆ３）を送出し、前記知人用メモリーに登録された指紋と一致したとき室内親機を知人用呼出音で呼出す知人用呼出信号（ｆ２）を送出し、前記呼出拒否用メモリーに登録された指紋と一致したとき室内親機を呼出す呼出信号（ｆ１）を送出しないよう制御するとともに、前記玄関子機の前記指紋照合部で照合された指紋が、前記いずれのメモリーとも一致しないとき前記室内親機を呼出す前記呼出信号を送出するＣＰＵ（２３）とを備えることを特徴とする指紋照合ドアホン装置。
【請求項２】
前記玄関子機の前記指紋照合部で照合された指紋が、前記いずれのメモリーとも一致しないとき、前記指紋を一時保存する指紋一時記憶装置（１６）と、前記指紋を前記いずれかのメモリーに登録するか、前記いずれのメモリーにも登録しないかを設定する指紋登録設定装置（４３）とを備えることを特徴とする請求項１記載の指紋照合ドアホン装置。
【発明の詳細な説明】
【０００１】
【発明の属する技術分野】
本発明は指紋照合ドアホン装置に係り、特にメモリー登録をグループ分けすることで、指紋照合時に登録の有無および登録先のグループに対応して解錠、知人用呼出、呼出拒否、呼出を行う指紋照合ドアホン装置に関する。
【０００２】
【従来の技術】
従来の指紋照合ドアホン装置の一例として図２に示すように、来訪者が呼出操作を行い、また帰宅した住居者が解錠操作をする指紋照合ユニット部分を含む玄関子機７０と玄関子機７０と接続され室内に設置される室内親機８０と玄関子機７０および室内親機８０に接続される電気錠１００とからなる。
玄関子機７０の端子Ｔ７１は伝送路を介して室内親機８０の端子Ｔ７３に接続している。室内親機８０の端子Ｔ７４および玄関子機７０の端子Ｔ７２はそれぞれ伝送路を介して電気錠１００に接続している。
【０００３】
玄関子機７０はスピーカ７１、マイク７２、通話回路７３、指紋照合部７４、指紋判別回路７５、メモリー７６、呼出信号送出回路７７、ＣＰＵ７８、解錠信号送出回路７９とが設けられている。スピーカ７１とマイク７２はそれぞれ通話回路７３に接続されている。指紋照合部７４は指紋判別回路７５を介してＣＰＵ７８に接続されており、また指紋判別回路７５はメモリー７６と接続されている。またＣＰＵ７８は解錠信号送出回路７９を介して端子Ｔ７２および呼出信号送出回路７７を介して端子Ｔ７１に接続されている。
【０００４】
室内親機８０はリレー８１、通話回路８２、レシーバー８４とマイク８５からなるハンドセット８３と、呼出検出回路８６、フックスイッチ８７、ＣＰＵ８８、アンプ８９、スピーカー９０、解錠信号送出回路９１、解錠スイッチ９２とから構成されている。端子Ｔ７３はリレー８１の切替え接点に接続される。リレー８１の常開接点は通話回路８２に接続され、通話回路８２にレシーバー８４とマイク８５が接続されている。リレー８１の常閉接点は呼出検出回路８６を介してＣＰＵ８８と接続する。解錠スイッチ９２とフックスイッチ８７はＣＰＵ８８と接続する。またＣＰＵ８８は解錠信号送出回路９１を介して端子Ｔ７４と接続する。
【０００５】
このように構成された従来の指紋照合ドアホン装置において、来訪者が玄関子機７０の指紋照合部７４に指紋を照合させた時にその指紋がメモリー７６に登録されたものと一致しなければ指紋判別回路７５はＣＰＵ７８と呼出信号送出回路７７と端子Ｔ７１を介して室内親機８０に呼出信号ｆ７１を送出する。室内親機８０に送出された呼出信号ｆ７１は端子Ｔ７３、リレー８１を介して呼出検出回路８６に入力されＣＰＵ８８に送出される。ＣＰＵ８８はこの呼出信号ｆ７１の信号レベルを検出することにより呼出音信号をアンプ８９に送出する。この呼出音信号はアンプ８９で増幅されてスピーカー９０より呼出音として発報される。呼出音の発報により来訪者を確認した居住者が、来訪者との通話を成立させるためにハンドセット８３を取り上げる（フックアップ）ような呼出応答操作を行うと、フックスイッチ８７が切替えられＣＰＵ８８にフックアップ検出信号が入力される。フックアップ検出信号を検知したＣＰＵ８８はリレー８１を通話回路８２側に切替える。よって玄関子機８０の来訪者との通話を成立させるために、居住者によってハンドセット８３のマイク８５を介して入力される内線送話信号は通話回路８２、リレー８１、端子Ｔ７３、玄関子機７０の端子Ｔ７１、通話回路７３を介してスピーカー７１より出力される。また来訪者は内線送話信号の送出により居住者の在宅を確認し、応答として通話を成立させる為に内線受話信号を玄関子機７０のマイク７２を介して入力する。この内線受話信号は通話回路７３、端子Ｔ７１、室内親機８０の端子Ｔ７３、リレー８１、通話回路８２を介してハンドセット８３のレシーバー８４より出力されることから伝送路を介する玄関子機７０および室内親機８０間において通話を成立させる音声信号（内線送話信号、内線受話信号）の送受が可能となり通話が成立する。
【０００６】
そして居住者は来訪者の入室を許可し解錠スイッチ９２を操作するとＣＰＵ８８は解錠信号送出回路９１、端子Ｔ７４をを介して解錠信号ｆ７３を電気錠１００に送出する。解錠信号ｆ７３を入力された電気錠１００は解錠動作を行う。
また帰宅した居住者が玄関子機７０の指紋照合部７４に指紋を照合させた時にその指紋がメモリー７６に登録されたものと一致すれば指紋判別回路７５はＣＰＵ７８と端子Ｔ７２を介して解錠信号ｆ７２を電気錠１００に送出する。解錠信号ｆ７２を入力された電気錠１００は解錠動作を行う。
【０００７】
【発明が解決しようとする課題】
しかしながら、従来の指紋照合ドアホン装置においては、指紋登録は居住者が解錠のためだけに指紋登録を行っていたため、来訪者が照合した場合は室内に呼出音が発報されるだけであり、初めての客と知人の来訪時に区別がなく、またいたずらや応答したくない相手でも同様に呼出音が発報されるだけであった。
本発明は上述の難点を解消するためになされたもので、来訪者が玄関子機で指紋を照合することでその指紋はメモリーに登録が可能であり、メモリーに登録された指紋はグループ分けしておくことで知人用呼出音や呼出拒否機能など来訪者が指紋照合するとグループに応じた機能が実行される指紋照合ドアホン装置を提供することを目的とする。
【０００８】
【課題を解決するための手段】
この目的を達成するため、本発明による指紋照合ドアホン装置は、玄関子機の指紋照合部で照合された指紋がメモリーに登録された指紋と一致したとき電気錠を解錠し、一致しなかったとき室内親機を呼出して通話状態となる指紋照合ドアホン装置において、メモリーを住人の指紋を登録する住人用メモリーと、知人の指紋を登録する知人用メモリーと、呼出拒否する人の指紋を登録する呼出拒否用メモリーにグループ分けし、玄関子機の指紋照合部で照合された指紋が、住人用メモリーに登録された指紋と一致したとき電気錠を解錠する解錠信号を送出し、知人用メモリーに登録された指紋と一致したとき室内親機を知人用呼出音で呼出す知人用呼出信号を送出し、呼出拒否用メモリーに登録された指紋と一致したとき室内親機を呼出す呼出信号を送出しないよう制御するとともに、玄関子機の指紋照合部で照合された指紋が、いずれのメモリーとも一致しないとき室内親機を呼出す呼出信号を送出するＣＰＵとを備えることを特徴とするものである。
【０００９】
また玄関子機の指紋照合部で照合された指紋が、いずれのメモリーとも一致しないとき、指紋を一時保存する指紋一時記憶装置と、指紋をいずれかのメモリーに登録するか、いずれのメモリーにも登録しないかを設定する指紋登録設定装置とを備えることを特徴とするものである。
このような指紋照合ドアホン装置によれば、照合した指紋が住人用メモリー、知人用メモリー、呼出拒否用メモリーのいずれかに登録してあればその登録してあるグループに対応した解錠、知人用呼出、呼出拒否機能の実行が可能である。
【００１０】
【発明の実施の形態】
以下、本発明による指紋照合ドアホン装置の好ましい形態の一実施例について、図面を参照して説明する。
本発明の指紋照合ドアホン装置において図１に示すように、来訪者が呼出操作を行い、また帰宅した居住者が解錠操作をする指紋照合ユニット部分を含む玄関子機１と、玄関子機１と接続され室内に設置される室内親機３と玄関子機１および室内親機３に接続される電気錠５とからなる。
玄関子機１の端子Ｔ１、Ｔ２は伝送路を介して室内親機３の端子Ｔ４、Ｔ６に接続している。室内親機３の端子Ｔ５および玄関子機１の端子Ｔ３はそれぞれ伝送路を介して電気錠５に接続している。
【００１１】
図１に示すように玄関子機１はスピーカー１１、マイク１２、通話回路１３、指紋照合部１４、指紋照合した後一定時間室内親機からの応答がなければ指紋一時記憶装置１６内の指紋を消去するためのタイマー１５、指紋一時記憶装置１６、指紋判別回路１７、住人用メモリー１９、知人用メモリー２０、呼出拒否用メモリー２１にグループ分けされたメモリー１８、呼出信号送出回路２２、ＣＰＵ２３、解錠信号送出回路２４とが設けられている。
【００１２】
スピーカ１１とマイク１２はそれぞれ通話回路１３に接続され、また通話回路３は端子Ｔ１に接続されている。指紋照合部１４は指紋判別回路１７を介してＣＰＵ２３に接続されており、また指紋判別回路１７はメモリー１８と、タイマー１５を接続した指紋一時記憶装置１６に接続されている。メモリー１８と指紋一時記憶装置１６はそれぞれ端子Ｔ２に接続されている。またＣＰＵ２３は解錠信号送出回路２４を介して端子Ｔ３および呼出信号送出回路２２を介して端子Ｔ１に接続されている。
【００１３】
室内親機３はレシーバー３４とマイク３５を含むハンドセット３３、通話回路３２、呼出検出回路３６、通話回路３２と呼出検出回路３６を切替えるリレー３１、ＣＰＵ３７、フックスイッチ３８、アンプ３９、スピーカー４０、解錠信号送出回路４１、解錠スイッチ４２、指紋登録のグループ分けなどを行う指紋登録設定装置４３とが設けられている。
このような構成の指紋照合ドアホン装置の動作を図１を用いて以下のように説明する。
【００１４】
図１に示すように、帰宅した居住者が玄関子機１の指紋照合部１４に指紋を照合させた時にその指紋がメモリー１８内の住人用メモリー１９に一致すれば指紋判別回路１７はＣＰＵ２３と端子Ｔ３を介して解錠信号ｆ３を電気錠５に送出する。解錠信号ｆ３を入力された電気錠５は解錠動作を行う。
来訪者が玄関子機１の指紋照合部１４に指紋を照合させた時にその指紋がメモリー１８内の知人用メモリー２０に登録されたものと一致すれば指紋判別回路１７はＣＰＵ２３と呼出信号送出回路２２と端子Ｔ１を介して室内親機２に知人用呼出信号ｆ２を送出する。玄関子機１から送出された知人用呼出信号ｆ２は室内親機３の端子Ｔ４、リレー３１を介して呼出検出回路３６に入力され、ＣＰＵ３７に送出される。ＣＰＵ３７はこの知人用呼出信号ｆ２の信号レベルを検出することにより、知人用呼出音信号をアンプ３９に送出する。この知人用呼出音信号はアンプ３９で増幅されてスピーカー４０より知人用呼出音として発報される。
【００１５】
知人用呼出音の発報により来訪者を確認した居住者が、来訪者との通話を成立させるためのハンドセット３３を取り上げる（フックアップ）ような呼出応答操作を行うと、フックスイッチ３８が切替えられＣＰＵ３７にフックアップ検出信号が入力される。フックアップ検出信号を検知したＣＰＵ３７はリレー３１を通話回路３２側に切替える。よって玄関子機１の来訪者との通話を成立させるために、居住者によってハンドセット３３のマイク３５を介して入力される内線送話信号は通話回路３２、リレー３１、端子Ｔ４、玄関子機１の端子Ｔ１、通話回路１３を介してスピーカー１１より出力される。また来訪者は内線送話信号の送出により居住者の在宅を確認し、応答して通話を成立させるために内線受話信号を玄関子機１のマイク１２を介して入力する。この内線受話信号は通話回路１３、端子Ｔ１、室内親機３の端子Ｔ４、リレー３１、通話回路３２を介してハンドセット３３のレシーバー３４より出力されることで伝送路を介する玄関子機１および室内親機３間において通話を成立させる音声信号（内線送話信号、内線受話信号）の送受が可能となり通話が成立する。
【００１６】
そして居住者は来訪者の入室を許可し解錠スイッチ４２を操作するとＣＰＵ３７は解錠信号送出回路４１、端子Ｔ５をを介して解錠信号ｆ４を電気錠５に送出する。解錠信号ｆ４を入力された電気錠５は解錠動作を行う。
過去に玄関子機１にいたずらをした人や、来客しても応答したくない人を室内親機３の指紋登録設定装置４３から玄関子機１のメモリー１８内の呼出拒否用メモリー２１に登録することで、来客者が玄関子機１の指紋照合部１４に指紋を照合させ、その指紋がメモリー内の呼出拒否用メモリー２１に登録されたものと一致すればＣＰＵ２３から呼出信号は送出されず、室内親機３から呼出音は発報されない。
【００１７】
来訪者が玄関子機１の指紋照合部１４に指紋を照合させた時にその指紋がメモリー１８内に登録されたものと一致しなければ指紋判別回路１７は照合された指紋を指紋一時記憶装置１６に記憶し、またＣＰＵ２３と呼出信号送出回路２２と端子Ｔ１を介して室内親機３に呼出信号ｆ１を送出する。指紋一時記憶装置１６に記憶された指紋は端子Ｔ２を介して室内親機３に指紋情報信号ｆ５を送出する。室内親機３に送出された指紋情報信号ｆ５は端子Ｔ６を介して指紋登録設定装置４３に入力され、指紋をメモリー内の知人用メモリー２０、呼出拒否用メモリー２１に登録するか消去するかを選択する。
【００１８】
玄関子機１から送出された呼出信号ｆ１は室内親機３の端子Ｔ４、リレー３１を介して呼出検出回路３６に入力されＣＰＵ３７に送出される。ＣＰＵ３７はこの呼出信号ｆ１の信号レベルを検出することにより、呼出音信号をアンプ３９に送出する。この呼出音信号はアンプ３９で増幅されてスピーカー４０より呼出音として発報される。来訪者と居住者の通話、解錠は上述した方法と同様である。また玄関子機１の指紋一時記憶装置１６に指紋が記憶されるとタイマー１５が作動し、居住者の不在等で通話が成立せずに一定時間が経過するとタイマーがタイムアップし、指紋一時記憶装置１６に記憶された指紋は自動消去される。
【００１９】
【発明の効果】
以上の説明から明らかなように、本発明の指紋照合ドアホン装置によれば、指紋をメモリー内にグループ分けして登録することで、指紋照合後の動作機能を解錠、知人用呼出、呼出拒否、指紋未登録者用の呼出のいずれかを行うことを可能とする。
【図面の簡単な説明】
【図１】本発明による指紋照合ドアホン装置の一実施例を示すブロック図
【図２】従来の指紋照合ドアホン装置のブロック図
【符号の説明】
１・・・・・玄関子機
３・・・・・室内親機
５・・・・・電気錠
１４・・・指紋照合部
１６・・・指紋一時記憶装置
１８・・・メモリー
１９・・・住人用メモリー
２０・・・知人用メモリー
２１・・・呼出拒否用メモリー
２３・・・ＣＰＵ
４３・・・指紋登録設定装置
ｆ１・・・呼出信号
ｆ２・・・知人用呼出信号
ｆ３・・・解錠信号
【図１】
0004318339.tif 000002
【図２】
0004318339.tif 000003